(57)【要約】      （修正有）【課題】へその緒を装飾品として飾り棚等に陳列可能にし、さらに湿気やカビが生えるのを阻止して、一生の思い出として永く大切に保存できるへその緒収納用飾り容器を提供する。【解決手段】透明ガラス製ブロック体２１の一面２１ａからそのブロック体２１内へ凹部２０を形成して、該凹部にへその緒４が収容されるようにした容器本体２と、該容器本体１の前記一面２１ａに当接する接合面３２を形成した透明ガラス製蓋体３とを、具備し、且つ該接合面３２と前記容器本体２の一面２１ａとを対向させて、接着剤５を介して該蓋体３を該容器本体２に接着固定することにより、へその緒４を入れた前記凹部２０が密封されるようにした。【選択図】図２
0003168431.tif 000002
【実用新案登録請求の範囲】
【請求項１】
透明ガラス製ブロック体の一面からそのブロック体内へ凹部を形成して、該凹部にへその緒が収容されるようにした容器本体と、該容器本体の前記一面に当接する接合面を形成した透明ガラス製蓋体とを、具備し、且つ該接合面と前記容器本体の一面とを対向させて、接着剤を介して該蓋体を該容器本体に接着固定することにより、へその緒を入れた前記凹部が密封されるようにしたことを特徴とするへその緒収納用飾り容器。
【請求項２】
前記凹部にへその緒と共に、乾燥剤と防腐剤が収容されるようにした前記容器本体とし、へその緒と共に乾燥剤と防腐剤とを入れた該凹部が密封されるようにした請求項１記載のへその緒収納用飾り容器。
【請求項３】
多面体又は円柱体からなる前記ブロック体の一面から円柱穴の前記凹部をくり抜き形成して前記容器本体とする請求項１又は２に記載のへその緒収納用飾り容器。
【請求項４】
前記ブロック体が六面体又は円柱体で、且つ該六面体又は円柱体に係る面と面のつなぎ目に角面の面取りがなされている請求項３記載のへその緒収納用飾り容器。
【考案の詳細な説明】
【技術分野】
【０００１】
本考案は、へその緒を単に保管するだけでなく装飾置物として飾ることのできるへその緒収納用飾り容器に関する。
【背景技術】
【０００２】
へその緒は、母親と子の命をつないでいることから神秘的な特別な力があるといわれており、当事者にとって一生の思い出，宝物となる。子供のお守りや成長を祈る意味をこめて保管されることが多く、また何かあったときにＤＮＡ鑑定で親子関係を証明できるため、産院によっては保管用の桐箱を提供するケースもある。
また、母子手帳や生まれた子供の写真等の出生記録品と一緒にへその緒を保管できるへその緒保管容器等の発明も提案されている（例えば特許文献１,２等）。
【先行技術文献】
【特許文献】
【０００３】
【特許文献１】特開２００４−３５０７５号公報
【特許文献２】特開２０００−３２７０５７号公報
【考案の開示】
【考案が解決しようとする課題】
【０００４】
しかし、産院で提供される桐箱や、特許文献１,２の発明には以下のような問題があった。
まず、いずれも保管容器で蓋をしてしまうと、これを室内に置いていても外部から中のへその緒を覗くことができなかった。また、蓋をしたその保管容器を部屋に出しておいても装飾置物にならないため片付かず、結局、箪笥の引き出し等にしまい込まれるはめに陥ることが多かった。
さらに、時折、保管容器の蓋を開けてへその緒を見ることがあるが、蓋の開け閉めによって、へその緒が外気に触れ、変質してしまう問題があった。へその緒もたんぱく質からなり、特に湿度が高い日本の気候状況下では、湿気やカビが生える虞があった。
【０００５】
本考案は上記問題点を解決するもので、へその緒を装飾品として飾り棚等に陳列可能にして日常のなかで親と子の絆の大切さを確認し、さらに湿気やカビが生えるのを阻止して、一生の思い出として永く大切に保存できるへその緒収納用飾り容器を提供することを目的とする。
【課題を解決するための手段】
【０００６】
上記目的を達成すべく、請求項１に記載の考案の要旨は、透明ガラス製ブロック体の一面からそのブロック体内へ凹部を形成して、該凹部にへその緒が収容されるようにした容器本体と、該容器本体の前記一面に当接する接合面を形成した透明ガラス製蓋体とを、具備し、且つ該接合面と前記容器本体の一面とを対向させて、接着剤を介して該蓋体を該容器本体に接着固定することにより、へその緒を入れた前記凹部が密封されるようにしたことを特徴とするへその緒収納用飾り容器にある。
請求項２の考案たるへその緒収納用飾り容器は、請求項１で、凹部にへその緒と共に、乾燥剤と防腐剤が収容されるようにした前記容器本体とし、へその緒と共に乾燥剤と防腐剤とを入れた該凹部が密封されるようにしたことを特徴とする。請求項３の考案たるへその緒収納用飾り容器は、請求項１又は２で、多面体又は円柱体からなる前記ブロック体の一面から円柱穴の前記凹部をくり抜き形成して前記容器本体とすることを特徴とする。請求項４の考案たるへその緒収納用飾り容器は、請求項３で、ブロック体が六面体又は円柱体で、且つ該六面体又は円柱体に係る面と面のつなぎ目に角面の面取りがなされていることを特徴とする。
【考案の効果】
【０００７】
本考案のへその緒収納用飾り容器は、へその緒が密封されており、これまで提案されてきた容器と違って、へその緒が外気と遮断され、湿度の高い日本でも、湿気やカビが生えたりしたりするのを防いで永きに亘って保存でき、さらに、重厚なガラスの重量感,質感ある装飾置物になり、ショウケース等に陳列すれば、親子の絆を高めることができるなど多大な効を奏する。
【図面の簡単な説明】
【０００８】
【図１】実施形態１のへその緒収納用飾り容器で、凹部にへその緒が納められたその全体斜視図である。
【図２】図１の分解斜視図である。
【図３】図２の説明断面図である。
【図４】図１の縦断面図である。
【図５】図１のへその緒収納用飾り容器の説明画像図である。
【図６】実施形態２のへその緒収納用飾り容器で、凹部にへその緒が納められたその全体斜視図である。
【図７】図６の分解斜視図である。
【図８】図７の説明断面図である。
【図９】図６の縦断面図である。
【考案を実施するための形態】
【０００９】
以下、本考案に係るへその緒収納用飾り容器について詳述する。
（１）実施形態１
図１〜図５は本考案のへその緒収納用飾り容器の一形態で、図１は凹部にへその緒が納められたその全体斜視図、図２は図１の分解斜視図、図３は図２の説明断面図、図４は図１の縦断面図、図５は図１のへその緒収納用飾り容器の説明画像図を示す。尚、各図でへその緒,乾燥剤,防腐剤は簡略図示し、図６のへその緒は代用品を凹部に収容する。また、図１,図２や図６,図７では角面の面取りの図示を省略する。
【００１０】
へその緒収納用飾り容器１(以下、単に「飾り容器」ともいう。)は、容器本体２と蓋体３とを備える(図１)。
容器本体２は、透明ガラス製ブロック体２１の一面２１ａからそのブロック体２１内へ凹部２０を形成して、該凹部２０にへその緒４が収容されるようにした塊状体である(図２,図３)。より好ましい容器本体２は、さらに乾燥剤５と防腐剤６が該凹部２０に収容されるようにした塊状体である。ここでは、多面体からなるブロック体２１の一面２１ａから円柱穴２０ａの凹部２０をくり抜き形成したガラス製容器本体２とする。透明ガラス製ブロック体２１を用いていることから、ガラス特有のずっしりとした重量感,質感がある。ガラス板等を張り合わせて凹部２０のある容器本体２を形成することができる。しかし、ここでは、大きな塊状のガラス製ブロック体２１を用い、且つその一面２１ａから円柱穴２０ａの凹部２０をくり抜き形成する。労力,時間を要するが、ガラス板等による張り合わせ部がなく、透明ガラス製容器本体２がより高級感に溢れ、気品ある飾り容器１を創り出す。ここで、本考案でいう透明ガラスは、凹部２０に納めたへその緒４を容器本体２の外部から透視できるガラスであればよく、カラー色の色付きガラス等であっても構わない。
【００１１】
本実施形態の容器本体２は、ブロック体２１が六面体で、各面を平滑面とする。そして、該六面体に係る面と面のつなぎ目に角面２３の面取りがなされている(図３,図４)。六面体の角形断面の出隅角に角面２３の面取りがなされる。つなぎ目に丸面や匙面等も考えられるが、角面２３の面取りがなされると、ガラスがもつ光の反射,屈折によって透明ガラス製ブロック体２１が宝石に似た輝きを増し、高級感が増幅してより好ましくなる。詳しくは、図３〜５のごとくのブロック体２１からなる容器本体２で、且つその六面体に係る面と面のつなぎ目に角面２３の面取りがなされている。角面２３の幅は１mm〜３mm程度の糸面にする。ガラス製容器本体２への該糸面の形成によって、最終製品たる飾り容器１が一層光り輝く(図５)。
そして、既述のごとく、容器本体２の正方形の形をした一面２１ａたる上面の中央から底面２１ｃへ向けて円柱穴２０ａを掘り、凹部２０がくり抜き形成される。円柱穴２０ａの円形は容器本体２の上面に係る正方形の対角線長さの１／２程度とする。円柱穴２０ａの深さは図３,図４のごとく容器本体２の高さの１／２をやや越える深さとする。
【００１２】
蓋体３は容器本体２の平坦な一面２１ａ(上面)に当接する接合面３２を形成した透明ガラス製部材である(図１,図２）。接合面３２と前記容器本体２の一面２１ａとを対向させて、接着剤９を介して蓋体３を容器本体２に接着固定することにより、へその緒４を入れた凹部２０が密封される構成にある。
本実施形態の蓋体３は、図示のごとくの正方形盤で、その上面３１及び接合面３２たる覆い面が前記上面２１ａと同形の正方形になっている。該接合面３２を容器本体２の上面２１ａに対向させて、接着剤９を介して凹部２０の開口Ｋを覆い塞ぐことができる。例えば、上面２１ａ側に接着剤９を塗ってから接合面３２を対向させて容器本体２に蓋体３を覆い接着固定すると、凹部２０が密封,シールされた図１のような飾り容器１となる。凹部２０にへその緒４が収容され、さらに乾燥剤５と防腐剤６が収容されるようにした容器本体２とし、へその緒４と共に乾燥剤５と防腐剤６とを入れた凹部２０が密封される飾り容器１になる。飾り容器１になったとき、六面体の容器本体２の各側面２１ｂと蓋体３に係る各盤側面３４のそれぞれが、図示のごとく同一面上となり見栄えを良くする。また、容器本体２と同様、蓋体３の方形盤に係る面と面のつなぎ目に角面３３の面取りを行い、透明ガラス製蓋体３も容器本体２と共に光の屈折、反射によって光り輝き、高級感が増幅する(図３〜図５)。
蓋体３又は前記容器本体２の外面には、子供の名前,生年月日や生まれた時の体重等の出生記録が適宜刻印される。刻印はサンドブラスト等によって彫られる。
【００１３】
へその緒４は、母胎とつながっている状態での血管などを含む紐状の器官である。出産を済ませると、へその緒４を桐の箱等に入れて母親に渡されることがあるが、主にたんぱく質で構成されているへその緒４は、湿気の多い我国ではカビが生えたり腐敗したりする虞がある。そこで、既述のごとく凹部２０にへその緒４、さらに好ましくは乾燥剤５,防腐剤６が収容されるようにした容器本体２に、これらを納めてから蓋体３で凹部２０の開口を覆い塞いで、へその緒４と共に乾燥剤５と防腐剤６とを入れた凹部２０が密封されるようにしている。
【００１４】
乾燥剤５は、密封された凹部２０内の密封空間及びそこに納められた対象物(ここでは、へその緒４)から水分を除去するための公知の薬剤である。乾燥剤５にはシリカゲル,生石灰,酸化カルシウム等がある。乾燥剤５の性能として、吸湿容量,吸湿力,吸湿速度の三要因があるが、例えば、シリカゲルは吸湿力の高い珪酸ゲルにして、吸湿容量の大きい多孔性の固体である。使い勝手も良く、本考案の乾燥剤５としてより好ましい。
【００１５】
防腐剤６は、微生物の生育,活動を阻害し、たんぱく質が含まれる対象物(ここでは、へその緒４)の腐敗を防ぐ公知の薬剤である。対象物たるへその緒４が腐る原因は、雑菌の繁殖によるのが大きい。そこで、該防腐剤６でこの雑菌を殺す処理がなされる。防腐剤６には、例えば食品防腐剤用の安息香酸や医薬品防腐剤用のパラヒドロキシ安息香酸エステル類等がある。本考案でいう防腐剤には有害性を有する微生物を殺す殺菌剤,殺菌料,防虫剤も含まれるものとする。殺菌剤には例えば医薬品に用いられるヨードチンキ等のヨウ素剤,次亜塩素酸ナトリウム等の塩素剤,エタノール等のアルコール類,オキシドール等の過酸化水素剤がある。また殺菌料には亜塩素酸ナトリウム,さらし粉等がある。防虫剤には虫,カビなどを忌避するために用いられるパラジクロロベンゼン等がある。本考案に用いる防腐剤６はその種類を問わないが、乾燥剤５と同様、固形タイプのものがより好ましい。
【００１６】
（２）実施形態２
本実施形態は図６〜図９ごとくのへその緒収納用飾り容器１である。飾り容器１は図示のごとくのブロック体２１と蓋体３とを備える。ブロック体２１の一面２１ａからそのブロック体２１内へ凹部２０を形成して、該凹部２０にへその緒４が収容されるようにした容器本体２である。該容器本体２には、円柱体からなる透明ガラス製ブロック体２１の一面２１ａ(円形上面)から一回り小さい径の円柱穴２０ａたる凹部２０がくり抜き形成される。容器本体２の円柱体に係る面と面のつなぎ目には角面２３の面取りがなされる。角面２３の面取りの形成で、光の屈折,反射によって透明ガラス製ブロック体２１が輝きを放ち、高級感を増幅させる。
【００１７】
蓋体３は、容器本体２の円形上面２１ａに当接する接合面３２を形成した透明ガラス製円盤である。該接合面３２と前記容器本体２の一面２１ａとを対向させて、接着剤９を介して蓋体３を容器本体２に接着固定することにより、へその緒４を入れた凹部２０が密封される。さらにいえば、容器本体２の凹部２０にへその緒４と共に乾燥剤５と防腐剤６を収容できるようにして、へその緒４と共に乾燥剤５と防腐剤６とを入れた該凹部２０が密封されるようになっている。
【００１８】
そして、蓋体３と容器本体２との接着固定で飾り容器１になったとき、円柱体の容器本体２の円周側面２１ｂと円盤たる蓋体３の盤側面３４とが、図示のごとく同一面上となるようにして見栄え良くする。さらに、容器本体２と同様、蓋体３の円盤に係る面と面のつなぎ目に角面３３の面取りを行い、透明ガラス製蓋体３も高級感が増幅されるようにする。角面形成による光の屈折,反射によって、透明ガラス製蓋体３が光り輝く。他の構成は実施形態１と同様で、その説明を省く。実施形態１と同一符号は同一又は相当部分を示す。
【００１９】
（３）効果
このように構成したへその緒収納用飾り容器１は、透明ガラス製ブロック体２１の一面２１ａからそのブロック体２１内へ凹部２０を形成して、該凹部２０にへその緒４が収容されるようにした容器本体２と、この容器本体２の前記一面２１ａに当接する接合面３２を形成した透明ガラス製蓋体３とを、具備して、蓋体３を容器本体２に接着固定してなる容器であるので、桐箱等と違って、飾り容器１にへその緒４を収納して蓋がされても、その容器の外から該へその緒４を覗くことができる。へその緒４が入った飾り容器１は透明ガラス製品であり、見た目に美しく、室内のショーケース等に置いて置物として綺麗に飾ることができる。しかも、プラスチック容器等と違って、重厚なガラスの重量感,質感から装飾品にふさわしい高級感が漂う。ビン容器などとも違って、その形態から陳列棚等に飾れば立派な装飾置物となる。この貴重な出生記念品たる飾り容器１が、日常生活のなかに置かれることによって、親子の絆を認識しその絆が深められていく。普段の生活を営むなかで、折に触れこの飾り容器１を見ることで、家族との結びつきの意識を高めることができる。
【００２０】
そして、接合面３２と容器本体２の一面２１ａとを対向させて、接着剤９を介して蓋体３を容器本体２に接着固定することにより、へその緒４を入れた凹部２０が密封されるので、飾り容器１に収納されたへその緒４が外気と遮断され、湿度の高い日本でも、湿気やカビが生えるのを防止する。想い出として大切に永く保存できる。さらにいえば、桐箱等に入れてむきだし状態にある従来のへその緒４とは異なり、へその緒４の損傷を防ぐ。
また、このへその緒４が大切に保管されることで、何かあったときにＤＮＡ鑑定で親子関係の立証に役立つ。
【００２１】
さらに、凹部２０にへその緒４と共に、乾燥剤５と防腐剤６が収容されるようにした容器本体２とし、へその緒４と共に乾燥剤５と防腐剤６とを入れた該凹部２０が密封されるようにすると、乾燥剤５によって湿気やカビが生えるのをより確実に阻止できる。また、防腐剤６によって、へその緒４の変質や腐敗をより確実に阻止できる。
【００２２】
加えて、多面体又は円柱体からなるブロック体２１の一面２１ａから円柱穴２０ａの凹部２０をくり抜き形成して容器本体２とすると、容器本体２の重量感,質感が増すだけでなく、ガラス板等を張り合わせて凹部２０のある容器本体２を形成した場合の張り合わせ部が存在しないことから、高級感を一層漂わせる。
さらに、実施形態１,２のごとくブロック体２１が六面体又は円柱体で、且つ六面体又は円柱体に係る面と面のつなぎ目に角面２３の面取りがなされると、接着剤９を介して蓋体３を容器本体２に接着固定することにより、へその緒４を凹部２０に入れて密封されたへその緒収納用飾り容器１が、光の屈折,反射によって一段と光り輝くようになる。へその緒４に神秘的な力があるとも信じられてきたへそ緒収納用飾り容器１が、一段と光り輝くことで、その神秘的な雰囲気を醸し出す。当事者にとって大切な宝物たるへその緒４の価値を一層高め、極めて有益となる。
このように、本へその緒収納用飾り容器１は、上述した数々の優れた効果を発揮し、出産祝等のプレゼント用贈り物としても喜ばれる優れものとなる。
【００２３】
尚、本考案においては前記実施形態に示すものに限られず、目的,用途に応じて本考案の範囲で種々変更できる。飾り容器１,容器本体２,凹部２０,蓋体３等の形状,大きさ,個数,材質等は用途に合わせて適宜選択できる。
【符号の説明】
【００２４】
１                  へその緒収納用飾り容器（飾り容器）
２                  容器本体
２０                凹部
２０ａ              円柱穴
２１                ブロック体
２１ａ              一面（上面）
２３                角面
３                  蓋体
３１                上面
３２                接合面
３３                角面
４                  へその緒
５                  乾燥剤
６                  防腐剤
９                  接着剤
【図１】
0003168431.tif 000003
【図２】
0003168431.tif 000004
【図３】
0003168431.tif 000005
【図４】
0003168431.tif 000006
【図６】
0003168431.tif 000007
【図７】
0003168431.tif 000008
【図８】
0003168431.tif 000009
【図９】
0003168431.tif 000010
【図５】
0003168431.tif 000011